(57)【特許請求の範囲】
【請求項１】
ベースユニットシャーシに対しディスク状記録媒体の径方向に移動可能に支持され、上記ディスク状記録媒体に対し記録又は再生を行なうピックアップが搭載されたスライド部材と、
上記ベースユニットシャーシに回転自在に取り付けられ、モータによって回転駆動されて上記スライド部材を上記ディスク状記録媒体の径方向に移動させる送りネジ軸と、を備え、
上記ベースユニットシャーシに、上記送りネジ軸を回転自在に支持するための一対の軸受部と、上記送りネジ軸の一方側の端部を押圧して上記送りネジ軸の他方側の端部を上記ベースユニットシャーシの壁部に押し当てて軸方向に固定するための押圧部が一体に設けられ、
上記押圧部は、上記ベースユニットシャーシの外面の一部をなす側面壁部に形成された弾性可撓片である
ディスクドライブ装置。
【請求項２】
上記押圧部は、上記ベースユニットシャーシの一部として上記ベースユニットシャーシに取り付けられるベースユニットサブシャーシに設けられ、
上記ベースユニットシャーシ及び上記ベースユニットサブシャーシは、同じ材料のエンジニアリングプラスチックで形成されている
請求項１に記載のディスクドライブ装置。
【発明の詳細な説明】
【０００１】
【発明の属する技術分野】
本発明は、光ディスクや光磁気ディスク、磁気ディスク等のディスク状記録媒体を回転駆動すると共に、このディスク状記録媒体の情報記録面に沿ってピックアップ装置を移動させて情報信号の記録（書込み）及び／又は再生（読取り）を行うディスクドライブ装置に関するものである。
【０００２】
【従来の技術】
従来、一般に、ＣＤ（コンパクトディスク）やＣＤ−ＲＯＭ（リードオンリメモリ）等の光ディスク、ＭＤ（ミニディスク）等の光磁気ディスク、或いはＦＤ（フロッピィディスク）等の磁気ディスクその他のディスク状記録媒体を用いて情報信号の記録及び／又は再生を行う装置として、ディスクドライブ装置が提供されている。このようなディスクドライブ装置としては、例えば、図１５〜図１９に示すような構成のものがある。
【０００３】
このディスクドライブ装置は、スピンドルモータの回転軸に取り付けられたターンテーブル上に光学ディスクを水平に装着して回転駆動すると共に、光学ピックアップによってレーザ光を光学ディスクの情報記録面に照射するようにしている。そして、光学ピックアップを光学ディスクの中心から半径方向外側に向かって移動させ、この光学ピックアップにより情報記録面に情報信号を書き込んだり、予め情報記録面に記録されている情報信号を読み出すことにより、情報の記録及び／又は再生を行うようにしている。
【０００４】
このディスクドライブ装置１は、図１５及び図１６に示すように、ベースユニットシャーシ２とスピンドルモータ３とターンテーブル４と光学ピックアップ装置５と送りネジ軸６と送りモータ７等を備えて構成されている。
スピンドルモータ３はベースユニットシャーシ２の下面側に取り付けられており、このスピンドルモータ３の回転軸３ａがベースユニットシャーシ２の上面側に突出し、これにターンテーブル４が固定されている。このターンテーブル４にはディスク状記録媒体である光学ディスク８が装着される。
【０００５】
また、ベースユニットシャーシ２にはガイド軸９が取り付けられ、さらにこのガイド軸９と平行にサブガイド軸１０が設けられており、このガイド軸９及びサブガイド軸１０に光学ピックアップ装置５のスライド部材１１が光学ディスク８の半径方向に移動可能に支持されている。
光学ピックアップ装置５はガイド軸９及びサブガイド軸１０に支持されるスライド部材１１上に光学ピックアップ１２を搭載して構成されるもので、この光学ピックアップ１２の光学ヘッド部１３の対物レンズ１３ａから光学ディスク８の情報記録面に記録又は再生を行なうためのレーザ光が照射される。
【０００６】
送りネジ軸６は送りモータ７によって回転駆動されるもので、ガイド軸９に隣接してこのガイド軸９と平行にベースユニットシャーシ２に取り付けられている。そしてこの送りネジ軸６のネジ部には光学ピックアップ装置のスライド部材１１に取り付けられたナット部材１４が噛み合わされており、送りモータ７によって送りネジ軸６が回転されるとナット部材１４が送りネジ軸６の軸方向に移動し、これと一体に光学ピックアップ装置５がガイド軸９及びサブガイド軸１０に沿って光学ディスク８の半径方向に移動されるようになっている。
【０００７】
このように構成される従来のディスクドライブ装置において、送りネジ軸６の取り付け部に注目すると、図１６に示すように送りネジ軸６はその両端の軸部６ａ，６ｂにおいてベースユニットシャーシ２に設けられた軸受部１５ａ及び１５ｂに回転自在に支持されている。この場合、送りネジ軸６の一端側の軸部６ａは軸受部１５ａを通して回転自在に支持され、他端側の軸部６ｂはベースユニットシャーシ２の壁に突き当てられる状態で軸受部１５ｂに回転自在に支持されている。
【０００８】
そして図１６及び図１９に示す如くベースユニットシャーシ２の外面側には板バネ１７がネジ１８で取り付けられており、この板バネ１７によって送りネジ軸６の一端側の軸部６ａを軸方向に押圧して他端側の軸部６ｂをベースユニットシャーシ２の壁部に押し当てるようにしている。
これによって送りネジ軸６の軸方向の固定が行なわれる構造となっており、即ち送りネジ軸６は軸方向にガタつくことなくしっかりと取り付けられるので、光学ピックアップ装置５の正確な送り動作が可能となる。
尚、このように板バネを用いて送りネジ軸６の端部を押圧して送りネジ軸を軸方向に固定するようにしたディスクドライブ装置は、本出願人が先に出願した「特開２０００−１１３９０号公報」において開示されているものである。
【０００９】
【発明が解決しようとする課題】
上述したような従来のディスクドライブ装置では、次のような課題がある。
即ち、従来は、送りネジ軸６を軸方向に固定するための部材として、ベースユニットシャーシ２とは別体の板バネ１７を用い、これをネジ１８によってベースユニットシャーシ２に取り付けているために、その分だけ部品点数を多く必要とし、またネジ止め作業のために組み立て工数も多くなるので、コストダウンの大きな妨げとなっていた。
【００１０】
本発明は、このような従来の課題に鑑みてなされたものであり、板バネとこの板バネを取り付けるためのネジを廃止して送りネジ軸の軸方向の固定を可能とすることにより、従来の課題を解決することを目的としている。
【００１１】
【課題を解決するための手段】
上述したような課題を解決し、上記目的を達成するために、本出願の請求項１記載のディスクドライブ装置は、ベースユニットシャーシに対しディスク状記録媒体の径方向に移動可能に支持され、ディスク状記録媒体に対し記録又は再生を行なうピックアップが搭載されたスライド部材と、ベースユニットシャーシに回転自在に取り付けられ、モータによって回転駆動されてスライド部材をディスク状記録媒体の径方向に移動させる送りネジ軸と、を備え、ベースユニットシャーシに、送りネジ軸を回転自在に支持するための一対の軸受部と、送りネジ軸の一方側の端部を押圧して送りネジ軸の他方側の端部をベースユニットシャーシの壁部に押し当てて軸方向に固定するための押圧部が一体に設けられ、押圧部は、ベースユニットシャーシの外面の一部をなす側面壁部に形成された弾性可撓片である構成としたものである。
【００１２】
また本出願の請求項２に記載のディスクドライブ装置は、押圧部は、ベースユニットシャーシの一部としてベースユニットシャーシに取り付けられるベースユニットサブシャーシに設けられ、ベースユニットシャーシ及びベースユニットサブシャーシは、同じ材料のエンジニアリングプラスチックで形成されている構成としたものである。
【００１３】
上述のように構成したことにより、本出願の請求項１に記載のディスクドライブ装置では、送りネジ軸を軸方向に固定するための押圧部がベースユニットシャーシに一体に設けられた構成としたため、従来用いられていた板バネとこの板バネを取り付けるためのネジを廃止することができ、その結果、部品点数及び組み立て工数を削減できてコストダウンが可能となる。
【００１４】
また本出願の請求項２に記載のディスクドライブ装置では、ベースユニットシャーシの一部としてベースユニットシャーシの本体に取り付けられるベースユニットサブシャーシに押圧部が設けられているために、ベースユニットサブシャーシをベースユニットシャーシの本体に取り付けることで送りネジ軸の軸方向の固定が行なわれるので、組み立て作業性がよく、さらなるコストダウンが可能となる。
【００１５】
【発明の実施の形態】
以下、本発明の実施の形態を添付図面を参照して説明する。図１〜図９は、本発明のディスクドライブ装置の実施の例を示すものである。即ち、図１はディスクドライブ装置の一実施例を上面側から見た斜視図、図２は同じく平面図、図３は底面図、図４は図３からベースユニットサブシャーシを取り除いた要部を示す説明図、図５は図２のＸ−Ｘ線断面図、図６は要部を切り欠いて示す背面図、図７は左側面図、図８は図２のＹ−Ｙ線断面図、図９は要部の拡大図である。
【００１６】
さらに、図１０は本発明のディスクドライブ装置が用いられたデジタルビデオディスクカメラの側面図、図１１は同じく平面図、図１２は同じく分解斜視図、図１３は図１に示すディスクドライブ装置をベースフレームに取り付けた平面図、図１４は同じく正面図である。
【００１７】
本発明の実施例として示すディスクドライブ装置２０は、ディスク状記録媒体として、オーディオ情報等の音楽信号やビデオ情報等の映像信号及び音楽信号等の情報信号が予め記録された再生専用型の光ディスク、或いはオーディオ情報やビデオ情報等の情報信号が１度だけ記録可能（追記型）若しくは何度でも繰り返して記録可能（書換え型）とされた記録可能型の光ディスクを用いることができる。しかしながら、ディスク状記録媒体としては、これに限定されるものではなく、薄い円盤の表面に磁性薄膜層を形成して特定位置の磁化状態により情報を記憶するようにした磁気ディスク、同様に形成した磁性薄膜層に光ヘッドと磁気ヘッドを使用して情報を書き込み又は読み出すようにした光磁気ディスクその他の記憶媒体を適用することができることは勿論である。
【００１８】
このディスクドライブ装置２０は、図１〜図４に示すように、ベースユニットシャーシ２１とベースユニットサブシャーシ２２とスピンドルモータ２３とターンテーブル２４と光学ピックアップ装置２５と送りネジ軸２６と送りモータ２７等を備えて構成されている。
ベースユニットシャーシ２１は例えばＡＢＳ等のエンジニアリングプラスチックにより成形されるもので、平板状の平面部２１ａと、この平面部２１ａの周囲を囲うように外周縁に沿って下面側に突出させて設けた正面壁部２１ｂ、背面壁部２１ｃ及び左右の側面壁部２１ｄ，２１ｅとを有し、全体として底の浅い蓋体のような形状に形成されている。
【００１９】
ベースユニットシャーシ２１の下面側には図３に示す如くモータベース板３１が取り付けネジ３２によって固定されており、このモータベース板３１上にスピンドルモータ２３が構成されている。そして図１及び図２に示すようにこのスピンドルモータの回転軸２３ａがベースユニットシャーシ２１の上面側に突出し、この回転軸２３ａにターンテーブル２４が固定されている。このターンテーブル２４にはディスク状記録媒体である光学ディスク３３が装着される。
【００２０】
このターンテーブル２４は、光学ディスク３３のセンタ孔に嵌合される嵌合部２４ａと、この嵌合部２４ａの下端に連続されると共に光学ディスク３３が載置される載置部２４ｂと、この載置部２４ｂに載置された光学ディスク３３のセンタ孔を係止して抜け出しを防止する複数個のロック爪２４ｃ等を有している。ターンテーブル２４の嵌合部２４ａの直径は、光学ディスク３３のセンタ孔の内径よりも若干小径とされていて、センタ孔に対して出し入れ可能とされている。
【００２１】
ターンテーブル２４の嵌合部２４ａのロック爪２４ｃは本例では３個設けられており、この３個のロック爪２４ｃが周方向に等角度間隔に配置されている。各ロック爪２４ｃは、コイルバネ等の弾性体（その他、板バネ、ゴム状弾性体等を適用することができる）によって常時半径方向外側に付勢されている。即ち、３個のロック爪２４ｃの先端部は、光学ディスク３３のセンタ孔の周縁部を係止できるように嵌合部２４ａの外周面からそれぞれ外側へ適宜量だけ突出されており、これらのロック爪２４ｃによって光学ディスク３３がチャッキングされる。一方、３個のロック爪２４ｃを、それぞれ弾性体の付勢力に抗して嵌合部２４ａ内に押し込むことにより、ロック爪２４ｃによる光学ディスク３３のチャッキングを解除することができる。
【００２２】
このような光学ディスク３３のチャッキング及びその解除動作を容易にするため、各ロック爪２４ｃの先端部の上面及び下面には、それぞれ適当な大きさの傾斜部が設けられている。このターンテーブル２４によれば、３個のロック爪２４ｃの働きによって光学ディスク３３がチャッキングされ、その状態で一体的に回転駆動される。その一方、例えば、光学ディスク３３を斜めに傾けて引き起こし、その力でロック爪２４ｃを後退させてセンタ孔から脱出させることにより、チャッキング状態を解除して光学ディスク３３を簡単に取り外すことができる。
【００２３】
このターンテーブル２４の載置部２４ｂには、摩擦抵抗の大きなゴム状弾性体やプラスチック等で形成されたディスク支持面２４ｄが設けられている。このディスク支持面２４ｄは、３個のロック爪２４ｃの働きによる押圧力を受けてセンタ孔の周縁部を弾性的に支持すると共に滑りを防止し、光学ディスク３３をターンテーブル２４と一体的に回転させる働きをなす。
【００２４】
またベースユニットシャーシ２１には図３及び図４に示すようにガイド軸３４が取り付けられ、さらにこのガイド軸３４と平行にサブガイド軸３６が設けられており、このガイド軸３４及びサブガイド軸３６に光学ピックアップ装置２５が光学ディスク３３の半径方向に移動可能に支持されている。
【００２５】
ガイド軸３４は周面が平滑とされた丸棒状の部材であり、その両端部がベースユニットシャーシ２１に設けられた凹状の軸受部３５ａ，３５ｂに係合した状態で支持されている。尚このガイド軸３４の材質としては例えばステンレス鋼が好適に用いられる。
一方サブガイド軸３６はベースユニットシャーシ２１と一体に形成された丸棒状の軸部であり、即ちこのサブガイド軸３６は連結部３７を介してベースユニットシャーシ２１の背面壁部２１ｃの内面側に連続して形成されている。
【００２６】
光学ピックアップ装置２５は、ガイド軸３４及びサブガイド軸３６に支持されて移動されるスライド部材３８上に光学ピックアップ３９を搭載して構成されるもので、この光学ピックアップ３９の光学ヘッド部４０がベースユニットシャーシ２１の平面部２１ａに形成された開口部４１から上面側に表出し、この光学ヘッド部４０の対物レンズ４０ａから光学ディスク３３の情報記録面に記録又は再生を行なうためのレーザ光が照射される。
【００２７】
スライド部材３８は例えばアルミニウム合金によりブロック状に形成されてなるもので、一端側に設けられた軸受部４２においてガイド軸３４に移動可能に支持されていると共に、他端側に設けられた軸受部４３においてサブガイド軸３６に移動可能に支持されている。
【００２８】
この場合、図８に示すように一端側の軸受部４２にはスリーブ４２ａが嵌合されて、このスリーブ４２ａにガイド軸３４が摺動自在に挿通されている。
一方、他端側の軸受部４３には、ベースユニットシャーシ２１の背面壁部２１ｃに向かって開口し、サブガイド軸３６を上下から挟むような凹溝４３ａが形成されており、この凹溝４３ａがサブガイド軸３６に係合する状態で摺接されている。
【００２９】
この軸受部４３付近においてスライド部材３８には、弾性押圧部材としての板バネ４４が取り付けネジ４５によって装着されている。この板バネ４４はサブガイド軸３６に圧接し、スライド部材３８をサブガイド軸３６に押し付ける働きを有するもので、これによってスライド部材３８の軸受部４３とサブガイド軸３６との間の隙間によるガタつきを防止して光学ピックアップ装置２５を安定して移動動作させるようにしている。
【００３０】
続いて、光学ピックアップ装置２５をガイド軸３４及びサブガイド軸３６に沿って移動させるピックアップ送り機構について説明する。
このピックアップ送り機構は、図４に示すようにガイド軸３４に隣接してこのガイド軸３４と平行にベースユニットシャーシ２１に取り付けられる送りネジ軸２６と、この送りネジ軸２６を回転駆動する送りモータ２７とを主要部品として構成されている。
【００３１】
送りネジ軸２６は、その両端の軸部２６ａ，２６ｂにおいてベースユニットシャーシ２１に設けられた軸受部４７ａ，４７ｂに回転自在に支持されている。この場合、送りネジ軸２６の一端側の軸部２６ａは軸受部４７ａを通して回転自在に支持され、他端側の軸部２６ｂはベースユニットシャーシ２１の壁に突き当てられる状態で軸受部４７ｂに回転自在に支持されている。尚この送りネジ軸２６の材質としては例えばステンレス鋼が好適に用いられる。
【００３２】
またこの送りネジ軸２６の一端側には、後述する出力ギアと噛み合う駆動ギア４９が固定されている。この駆動ギア４９に対応してベースユニットシャーシ２１の正面壁部２１ｂには、この駆動ギヤ４９との干渉を避けるための開口５０が形成されている。
【００３３】
そして送りネジ軸２６のネジ部には、光学ピックアップ装置２５のスライド部材３８に取り付けられたナット部材５１が噛み合わされている。このナット部材５１は固定ネジ５２によってスライド部材３８に取り付けられた板バネ材によりなる支持体５３から延びる弾性片５３ａの先端部に固定されているもので、弾性片５３ａの弾性によって送りネジ軸２６に押し当てられるように噛み合わされている。
【００３４】
送りネジ軸２６を回転駆動する送りモータ２７は、図５に示すように送りネジ軸２６の上方に配置されてベースユニットシャーシ２１に取り付けられている。この送りモータ２７の回転軸２７ａには出力ギア５４が固定され、この出力ギア５４に送りネジ軸２６の駆動ギア４９が噛み合わされており、これによって送りモータ２７の回転軸２７ａの回転が出力ギア５４と駆動ギア４９を介して送りネジ軸２６に伝達されて送りネジ軸２６が回転駆動される構造となっている。
【００３５】
そしてこのように送りモータ２７によって送りネジ軸２６が回転されると、ナット部材５１が送りネジ軸２６の軸方向に移動し、これと一体に光学ピックアップ装置２５がガイド軸３４及びサブガイド軸３６に沿って光学ディスク３３の半径方向に移動される。
【００３６】
また、送りモータ２７の回転軸２７ａには回転板５５が固定されている。この回転板５５には放射状に多数のスリットが周方向に等角度間隔で形成されており、この回転板５５に対応してベースユニットシャーシ２１には回転検出センサ５６が取り付けられている。
【００３７】
この回転検出センサ５６は、回転板５５の一部が挿入される切り欠き溝を有し、この回転検出センサ５６の切り欠き溝の両側には発光素子と受光素子が対向して内蔵されている。そして発光素子から発射された光を回転板５５のスリットを介して受光素子により受光し、スリット間の遮光部で遮光される回数を測定することにより、送りモータ２７の回転軸２７ａの回転角度及び回転数を検出するものである。
【００３８】
このように構成されるピックアップ送り機構は、ベースユニットシャーシ２１に取り付けられるベースユニットサブシャーシ２２によって覆われている。このベースユニットサブシャーシ２２はベースユニットシャーシ２１の一部としてベースユニットシャーシ２１の本体に固定ネジ５７によって取り付けられるもので、ピックアップ送り機構を覆う下面部２２ａと、この下面部２２ａの正面側及び側面側に連続して形成された正面壁部２２ｂ及び側面壁部２２ｃとを有し、これをベースユニットシャーシ２１に取り付けることによってピックアップ送り機構部に埃等が侵入することを防ぐようにしている。尚このベースユニットサブシャーシ２２は、ベースユニットシャーシ２１と同じ材料で成形されている。
【００３９】
またこのベースユニットサブシャーシ２２は、ベースユニットシャーシ２１に取り付けられるガイド軸３４及び送りネジ軸２６を押さえる働きをも有し、即ち組み立て時に図４に示すようにガイド軸３４及び送りネジ軸２６を夫々ベースユニットシャーシ２１の軸受部３５ａ，３５ｂ及び４７ａ，４７ｂに支持させた状態で、ベースユニットサブシャーシ２２をベースユニットシャーシ２１に取り付けることにより、ガイド軸３４及び送りネジ軸２６は夫々軸受部３５ａ，３５ｂ及び４７ａ，４７ｂから脱落しないようにベースユニットサブシャーシ２２で押さえられる構造となっている。さらにこのベースユニットサブシャーシ２２の下面部２２ａには、送りネジ軸２６の駆動ギヤ４９との干渉を避けるための開口５８が形成されている。
【００４０】
そしてこのベースユニットサブシャーシ２２には、図３及び図９に示すように、送りネジ軸２６の一方側の軸部２６ａの先端を押圧して送りネジ軸２６を軸方向に固定するための押圧片部６０が一体に設けられている。
この押圧片部６０はベースユニットサブシャーシ２２の側面壁部２２ｃの一部を利用して形成される弾性可撓片であり、ベースユニットサブシャーシ２２をベースユニットシャーシ２１に取り付けた状態ではこの押圧片部６０が送りネジ軸２６の一方側の軸部２６ａの先端で押されて外側に撓み、その弾性押し戻し力によって送りネジ軸２６の一方側の軸部２６ａの先端が軸方向に押圧され、このため送りネジ軸２６は他方側の軸部２６ｂがベースユニットシャーシ２１の壁部に押し当てられる状態となる。
【００４１】
これによって送りネジ軸２６の軸方向の固定が行なわれる構造となっており、即ち送りネジ軸２６は軸方向にガタつくことなくしっかりと取り付けられるので、光学ピックアップ装置２５の正確な送り動作が可能となる。
【００４２】
以上の如き構成を有する本例のディスクドライブ装置２０では、次のようにして光学ディスク３３の記録または再生動作が行なわれる。
先ず、ターンテーブル２４に光学ディスク３３を装着する。この作業は、次のようにして行なうことができる。例えば光学ディスク３３の外周縁の複数箇所を把持し、そのセンタ孔をターンテーブル２４の嵌合部２４ａに合わせる。そして、光学ディスク３３を軽く押圧して３個のロック爪２４ｃを後退させ、センタ孔を通過させる。これにより、センタ孔を通過した３個のロック爪２４ｃがセンタ孔の縁の３箇所に乗り上げることにより光学ディスク３３のチャッキングが行なわれる。
【００４３】
次にスピンドルモータ２３を駆動することにより、ターンテーブル２４と一体に光学ディスク３３を回転させる。これと同時にピックアップ送り機構の送りモータ２７が駆動し、送りネジ軸２６が回転される。このように送りネジ軸２６が回転されると、ナット部材５１が送りネジ軸２６の軸方向に移動し、これと一体に光学ピックアップ装置２５がガイド軸３４及びサブガイド軸３６に沿って光学ディスク３３の半径方向に移動される。
【００４４】
この場合、光学ピックアップ装置２５は初期状態では光学ディスク３３の半径方向の最も内側に位置し、そこから半径方向の外側に向かって移動される如く動作する。このとき、光学ピックアップ３９の光学ヘッド部４０の対物レンズ４０ａから光学ディスク３３の情報記録面にレーザ光が照射される。
その結果、再生時には、情報記録面に照射されたレーザ光によって予め記録されている情報信号が読み出され、その情報信号に基づいて再生動作が行なわれる。また、記録時には、情報記録面に照射されたレーザ光によって情報信号が書き込まれ、記録動作が行なわれる。
【００４５】
以上の如く構成され動作される本例のディスクドライブ装置２０においては、次のような特筆すべき効果がある。
即ちこのディスクドライブ装置２０では、送りネジ軸２６を軸方向に固定するための押圧片部６０をベースユニットシャーシ２１に一体に設けた構造としたことにより、従来送りネジ軸２６の軸方向の固定に用いられていた板バネとこの板バネを取り付けるためのネジを廃止することができるので、部品点数及び組み立て工数を削減できてコストダウンが可能となり、またディスクドライブ装置の小型化を図る上でも有利となる。
【００４６】
またこの押圧片部６０は、ベースユニットシャーシ２１の一部としてベースユニットシャーシ２１の本体に取り付けられるベースユニットサブシャーシ２２に設けられているために、ベースユニットサブシャーシ２２をベースユニットシャーシ２１に取り付けることで送りネジ軸２６の軸方向の固定が行なわれるので、組み立て作業性がよく、コストダウンを図る上で一段と有利なものとなる。
【００４７】
上述したような構成及び作用、効果を有するディスクドライブ装置２０は、例えば、図１０〜図１４に示すような電子機器に装着して使用することができる。図１０及び図１１と図１２は、電子機器の一具体例を示すデジタルビデオディスクカメラである。このデジタルビデオディスクカメラ８０は、情報記録媒体として記録可能な光学ディスクを使用し、デジタルスチルカメラの機能とビデオテープレコーダの機能とを合わせ持つ構成としたものである。
【００４８】
このデジタルビデオディスクカメラ８０は、図１２に示すような構成を有している。図１２において、８１はフォーカスリング、８２はレンズカバー、８３はレンズ組立体、８４は鏡筒カバー、８５は取付リング、８６は前カメラフレーム、８７は電子ビューファインダ、８８はファインダホルダ、８９はファインダリング、９０はファインダケース、９１はバッテリーホルダ、９２はバッテリー電源、９３ａ〜９３ｃはそれぞれ配線基板、９４はベースフレーム、９５は後カメラフレーム、９６は液晶表示装置、９７はディスク装着蓋である。
【００４９】
レンズ組立体８３は、複数枚の組み合わせレンズが収納されたレンズホルダ８３ａと、このレンズホルダ８３ａの対物レンズと反対側に配置された固体撮像素子（ＣＣＤ）８３ｂ等を有している。このレンズ組立体８３の対物レンズ側がレンズカバー８２によって覆われていて、その対物レンズの先端部にフォーカスリング８１が取り付けられている。レンズ組立体８３の固体撮像素子８３ｂ側の下部には鏡筒カバー８４が取り付けられている。この鏡筒カバー８４は、取付リング８５によって前カメラフレーム８６の筒体部８６ａに取り付けられている。そして、固体撮像素子８３ｂの上方には電子ビューファインダ８７が配設されている。
【００５０】
電子ビューファインダ８７は、ファインダホルダ８８に取り付けられており、その後方にはファインダリング８９が配置されている。このファインダリング８９を含む電子ビューファインダ８７の上下は、上下方向に二分割とされた上部カバー８９ａ及び下部カバー８９ｂによって覆われている。そして、電子ビューファインダ８７を含むファインダ全体は、ファインダケース９０により覆われている。これにより、余分な光が電子ビューファインダ８７内に入射されるのを防止している。
【００５１】
また、固体撮像素子８３ｂの後方には３枚の配線基板９３ａ〜９３ｃが前後方向へ重ね合わせるように配置されている。前側２枚の配線基板９３ａ，９３ｂはカメラ用の電子回路が設けられたものであり、後側１枚の配線基板９３ｃはドライブ用の電子回路が設けられたものである。この後配線基板９３ｃの後方に、ベースフレーム９４に取り付けられてディスクドライブ装置２０が配設されている。
【００５２】
このベースフレーム９４に対するディスクドライブ装置２０の取付手段は、図１３及び図１４に示すような構造によって行われている。即ち、ベースフレーム９４は、ディスクドライブ装置２０よりも平面形状が大きな板金製の板体からなる。このベースフレーム９４の周縁部には、カメラフレームに取り付けるための複数個の脚片９４ａが設けられている。更に、ベースフレーム９４の３箇所には、ディスクドライブ装置２０を支持するための支持片９４ｂが設けられている。３個の支持片９４ｂは、ディスクドライブ装置２０を三方から支持するように略均等に配置されていて、各支持片９４ｂにはゴム状弾性体によって形成されたインシュレータ９４ｃが取り付けられている。
【００５３】
このような支持片９４ｂを介してディスクドライブ装置２０を支持するため、ベースユニットシャーシ２１の３箇所には側方へ突出する支持アーム２１ｆが設けられている。各支持アーム２１ｆにはインシュレータ９４ｃがそれぞれ装着され、その装着状態において支持片９４ｂに係合することにより、ディスクドライブ装置２０がベースフレーム９４に弾性的に支持されている。
【００５４】
このベースフレーム９４に支持されたディスクドライブ装置２０は、後カメラフレーム９５の内側に取り付けられている。後カメラフレーム９５は前カメラフレーム８６と前後方向に重なり合う形状とされており、両カメラフレーム８６，９５を重ね合わせて組み立てることによってカメラ本体が構成されている。カメラ本体は、レンズ組立体８３等が収納される上述した筒体部８６ａと、この筒体部８６ａの一側に連続して形成された把持部８６ｂとを備えている。
【００５５】
図１１に示すように、把持部８６ｂの上部には、電源スイッチ９８ａとシャッタボタン９８ｂとが設けられている。また、筒体部８６ａの把持部８６ｂと反対側の側面には、フォーカススイッチ等が取り付けられたスイッチカバー９８ｃが取り付けられている。後カメラフレーム９５の背面には大きな開口部９５ａが設けられており、この開口部９５ａからディスクドライブ装置２０のターンテーブル２４側の面が大きく露出される。この開口部９５ａは、ヒンジによって後カメラフレーム９５に連結されたディスク装着蓋９７により開閉可能とされている。このディスク装着蓋９７には表示窓９７ａが設けられており、その表示窓９７ａには液晶表示装置９６が装着されている。このディスク装着蓋９７のロック及びロック解除は、後カメラフレーム９５の側面に設けられた開閉スイッチ９５ｂによって行うことができる。
【００５６】
また、カメラ本体の把持部８６ｂの内部には、バッテリーホルダ９１が収納されている。このバッテリーホルダ９１の前面にはバッテリーカバーが着脱可能に取り付けられており、バッテリーホルダ９１に対してバッテリー電源９２が着脱自在とされている。バッテリーホルダ９１には端子ホルダ９１ａが着脱自在に取り付けられており、端子ホルダ９１ａの着脱を経てバッテリー電源９２がバッテリーホルダ９１に着脱される。
【００５７】
このような構成を有するデジタルビデオディスクカメラ８０は、例えば、次のようにして使用することができる。この場合、情報記録媒体である光学ディスクの取り付け・取り外し操作は、必要によりディスク装着蓋９７を開けて手動操作によって行う。即ち、ディスク装着蓋９７を開いて後カメラフレーム９５の開口部９５ａを開口させ、これにより露出されたディスクドライブ装置２０のターンテーブル２４に光学ディスクを取り付け、又は予め装着されている光学ディスクを取り外す。
【００５８】
このとき、ディスクドライブ装置２０に光学ディスクを取り付けた後、ディスク装着蓋９７を閉じることにより撮影が可能となり、この撮影による映像情報や音声情報の記録を実行することができる。即ち、電源スイッチ９８ａを入れた後、シャッタボタン９８ｂを押すことにより、その撮影モードに応じて、一般のビデオカメラと同様に連続した映像を移したり、普通のカメラと同様に１枚毎の撮影を行うことができる。
【００５９】
尚、この実施例においては、ディスクドライブ装置２０をデジタルビデオディスクカメラ８０に適用した例について説明したが、次のような電子装置にも使用することができる。例えば、ＣＤプレーヤー、ＤＶＤプレーヤー、ＣＤ−ＲＯＭドライブ装置、ＤＶＤドライブ装置、ＣＤ−Ｒドライブ装置、ＣＤ−ＲＷドライブ装置、その他各種のディスクドライブ装置として適用することができるものである。即ち、記録再生兼用のディスク記録再生装置に適用できることは勿論のこと、記録又は再生の一方のみが可能なディスク記録装置又はディスク再生装置に適用することができるものである。
【００６０】
また、上記実施例においては、情報記録媒体として光ディスクを用いた例について説明したが、光磁気ディスク、フロッピーディスク等の磁気ディスク、その他各種のディスク状記録媒体に適用することができることは勿論である。このように、本発明は、その趣旨を逸脱しない範囲で種々変更できるものである。
【００６１】
【発明の効果】
以上に説明したように、本出願の請求項１に記載のディスクドライブ装置によれば、ベースユニットシャーシに、送りネジ軸を回転自在に支持するための一対の軸受部と、送りネジ軸の一方側の端部を押圧して送りネジ軸の他方側の端部をベースユニットシャーシの壁部に押し当てて軸方向に固定するための押圧部が一体に設けられ、押圧部は、ベースユニットシャーシの外面の一部をなす側面壁部に形成された弾性可撓片である構成としたため、従来用いられていた板バネとこの板バネを取り付けるためのネジを廃止することができ、その結果、部品点数及び組み立て工数を削減できてコストダウンが可能となり、さらにはディスクドライブ装置の小型化を図る上でも有利になるという効果を得ることができる。
【００６２】
また本出願の請求項２に記載のディスクドライブ装置によれば、ベースユニットシャーシの一部としてベースユニットシャーシに取り付けられるベースユニットサブシャーシに押圧部が設けられた構成とし、これらベースユニットシャーシ及びベースユニットサブシャーシは、同じ材料のエンジニアリングプラスチックで形成したため、ベースユニットサブシャーシをベースユニットシャーシに取り付けることで送りネジ軸の軸方向の固定が行なわれるので、組み立て作業性がよく、さらなるコストダウンが可能となるという効果を得ることができる。
【図面の簡単な説明】
【図１】本発明のディスクドライブ装置の一実施例を示すもので、上面側から見た斜視図である。
【図２】図１に示すディスクドライブ装置の平面図である。
【図３】図１に示すディスクドライブ装置の底面図である。
【図４】図３に示すディスクドライブ装置の底面図からベースユニットサブシャーシを取り除いた要部を示す説明図である。
【図５】図２に示すディスクドライブ装置のＸ−Ｘ線断面図である。
【図６】図１に示すディスクドライブ装置の要部を切り欠いて示す背面図である。
【図７】図１に示すディスクドライブ装置の左側面図である。
【図８】図２に示すディスクドライブ装置のＹ−Ｙ線断面図である。
【図９】図３に示すディスクドライブ装置の底面図の一部切り欠いた要部の拡大図である。
【図１０】本発明のディスクドライブ装置が用いられたデジタルビデオディスクカメラの実施例を示す側面図である。
【図１１】本発明のディスクドライブ装置が用いられたデジタルビデオディスクカメラの実施例を示す平面図である。
【図１２】本発明のディスクドライブ装置が用いられたデジタルビデオディスクカメラの実施例を示す分解斜視図である。
【図１３】図１に示すディスクドライブ装置をベースフレームに取り付けた状態を示す平面図である。
【図１４】図１に示すディスクドライブ装置をベースフレームに取り付けた状態を示す正面図である。
【図１５】従来のディスクドライブ装置を示す正面図である。
【図１６】図１５に示す従来のディスクドライブ装置の底面図である。
【図１７】図１５に示す従来のディスクドライブ装置のＸ−Ｘ線断面図である。
【図１８】図１５に示す従来のディスクドライブ装置の左側面図である。
【図１９】図１６に示す従来のディスクドライブ装置の底面図の要部の拡大図である。
【符号の説明】
２０‥‥ディスクドライブ装置、２１‥‥ベースユニットシャーシ、２２‥‥ベースユニットサブシャーシ、２５‥‥光学ピックアップ装置、２６‥‥送りネジ軸、２７‥‥送りモータ、３３‥‥光学ディスク（ディスク状記録媒体）、３８‥‥スライド部材、３９‥‥光学ピックアップ、６０‥‥押圧片部（押圧部）
【図１】
0004196526.tif 000002
【図２】
0004196526.tif 000003
【図３】
0004196526.tif 000004
【図４】
0004196526.tif 000005
【図５】
0004196526.tif 000006
【図６】
0004196526.tif 000007
【図７】
0004196526.tif 000008
【図８】
0004196526.tif 000009
【図９】
0004196526.tif 000010
【図１０】
0004196526.tif 000011
【図１１】
0004196526.tif 000012
【図１２】
0004196526.tif 000013
【図１３】
0004196526.tif 000014
【図１４】
0004196526.tif 000015
【図１５】
0004196526.tif 000016
【図１６】
0004196526.tif 000017
【図１７】
0004196526.tif 000018
【図１８】
0004196526.tif 000019
【図１９】
0004196526.tif 000020